【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
機器設定が可能な第１のインターフェースと、前記機器と通信可能な第２のインターフェースを有する電子機器とホスト機器とを有するシステムにおいて、
ホスト機器におけるデバイスドライバをインストールする際に、前記第１のインターフェースを使用して、前記第２のインターフェースを介した通信のための機器設定手順を実行する実行手段と、
前記第１のインターフェースを使用した前記機器設定後に、前記第２のインターフェースを介した通信品質を測定する測定手段と、
前記測定手段による前記測定結果に基づいて、少なくとも前記電子機器の設置場所に関する判定を行う判定手段と、
を有することを特徴とするシステム。
【請求項２】
機器設定が可能な第１のインターフェースと、前記機器と通信可能な第２のインターフェースを有する情報処理装置において、
電子機器のためのデバイスドライバをインストールする際に、前記第１のインターフェースを使用して、前記第２のインターフェースを介した通信のための機器設定手順を実行する実行手段と、
前記第１のインターフェースを使用した前記機器設定後に、前記第２のインターフェースを介した通信品質を判別する判別手段と、
前記判別手段による判別結果に基づいて、少なくとも前記電子機器の設置場所に関する判定を行う判定手段と、
を有することを特徴とする情報処理装置。
【請求項３】
機器設定が可能な第１のインターフェースと、前記機器と通信可能な第２のインターフェースを有する電子機器において、
情報処理装置における前記電子機器のためのデバイスドライバをインストールする際に、前記第１のインターフェースを使用して、前記情報処理装置が前記電子機器と前記第２のインターフェースを介して通信するための機器設定手順を実行する実行手段と、
前記第１のインターフェースを使用した前記機器設定後に、前記第２のインターフェースを介した通信品質を測定する測定手段と、
前記情報処理装置が前記電子機器の設定場所に関する判定を行えるように、前記測定結果を前記情報処理装置に通知する通知手段と、
を有することを特徴とする電子機器。
【請求項４】
機器設定が可能な第１のインターフェースと、前記機器と通信可能な第２のインターフェースを有する電子機器とホスト機器とを有するシステムのシステムセットアップ方法において、
ホスト機器におけるデバイスドライバをインストールする際に、前記第１のインターフェースを使用して、前記第２のインターフェースを介した通信のための機器設定手順を実行する実行工程と、
前記第１のインターフェースを使用した前記機器設定後に、前記第２のインターフェースを介した通信品質を測定する測定工程と、
前記測定工程における前記測定結果に基づいて、少なくとも前記電子機器の設置場所に関する判定を行う判定工程と、
を有することを特徴とするセットアップ方法。
【請求項５】
請求項４において、
前記測定工程は、前記第１のインターフェースによる接続を切断してから前記第２のインターフェースを介した通信品質を測定することを特徴とするセットアップ方法。
【請求項６】
請求項４または５において、
前記デバイスドライバのインストールを行った際の前記電子機器とホスト機器との接続形態を変更して、前記電子機器をユーザーの実使用配置に設置させた上で、前記測定工程を実行するようユーザーに通知する通知工程を更に有することを特徴とするセットアップ方法。
【請求項７】
請求項４から６のいずれかにおいて、
前記電子機器に応じて、前記機器設定手順を実行するか否かを決定する決定工程を更に有することを特徴とするセットアップ方法。
【請求項８】
請求項７において、
前記決定工程は、前記第１のインターフェースを介して取得した前記電子機器の情報に基づいて、前記機器設定手順を実行するか否かを決定することを特徴とするセットアップ方法。
【請求項９】
請求項４から８のいずれかにおいて、
前記測定工程は、前記第２のインターフェースを介して、前記ホスト機器と電子機器との通信を中継する中継装置と、前記電子機器との間の通信品質を測定することを特徴とするセットアップ方法。
【請求項１０】
請求項４から９のいずれかにおいて、
前記測定工程は、前記ホスト装置と電子機器との間の通信品質を測定することを特徴とするセットアップ方法。
【請求項１１】
請求項９において、
前記中継装置と前記電子機器との間の通信品質に基づいて、前記ホスト装置と前記電子機器との間の通信品質を測定することを特徴とするセットアップ方法。
【請求項１２】
請求項１０または１１において、
前記ホスト機器と前記電子機器との間の通信品質の測定は、予め定められた量のデータを前記ホスト機器から前記電子機器に送信することにより行われることを特徴とするセットアップ方法。
【請求項１３】
請求項１０または１１において、
前記測定工程は、前記ホスト機器が前記電子機器を使用する際に前記ホスト機器から転送されることになるデータ量に基づく量である測定用データを、前記ホスト機器から前記電子機器へ複数回送出し、その応答時間の平均を測定結果とすることを特徴とするセットアップ方法。
【請求項１４】
請求項１２または１３において、
前記電子機器の種別を識別する識別工程を有し、
前記識別工程において識別された前記電子機器の種別に基づいて、前記予め定められたデータ量を決定することを特徴とするセットアップ方法。
【請求項１５】
請求項４から１４のいずれかにおいて、
前記第１のインターフェースは有線通信インターフェースであり、前記第２のインターフェースは無線通信インターフェースであることを特徴とするセットアップ方法。
【請求項１６】
ホスト機器から機器設定を受け付け可能な第１のインターフェースと、他装置と通信可能な第２のインターフェースとを有する電子機器の制御方法において、
前記ホスト機器において前記電子機器に対応するデバイスドライバをインストールする際に、前記第１のインターフェースを介して、該ホスト機器から前記第２のインターフェースを含む機器設定を受け付ける設定受付工程と、
前記設定受付工程において受け付けた機器設定に基づき設定された前記第２のインターフェースを介した通信品質を測定する測定工程と、
前記測定工程において測定された通信品質に基づいて、該通信品質の状態を前記ホスト機器に通知する通知工程と、
を有することを特徴とする制御方法。
【請求項１７】
機器設定を受け付け可能な第１のインターフェースと、他装置と通信可能な第２のインターフェースとを有する電子機器のセットアッププログラムにおいて、
前記ホスト機器において前記電子機器に対応するデバイスドライバをインストールする際に、前記電子機器の前記第１のインターフェースを介して、前記第２のインタフェースを含む機器設定を行う設定工程を実行するためのプログラムコードと、
前記設定工程において設定された前記第２のインターフェースを介した通信品質を測定する測定工程を実行するためのプログラムコードと、
前記測定工程において測定された通信品質に基づいて、該通信品質の状態を外部に報知する報知工程を実行するためのプログラムコードと、
を有することを特徴とするセットアッププログラム。
【請求項１８】
ホスト機器から機器設定を受け付け可能な第１のインターフェースと、他装置と通信可能な第２のインターフェースとを有する電子機器の制御プログラムにおいて、
前記ホスト機器において前記電子機器に対応するデバイスドライバをインストールする際に、前記第１のインターフェースを介して、前記ホスト機器から前記第２のインターフェースを含む機器設定を受け付ける設定受付工程を実行するためのプログラムコードと、
前記設定受付工程において受け付けた機器設定に基づき設定された前記第２のインターフェースを介した通信品質を測定する測定工程を実行するためのプログラムコードと、
前記測定工程において測定された通信品質に基づいて、該通信品質の状態を前記ホスト機器に通知する通知工程を実行するためのプログラムコードと、
を有することを特徴とする制御プログラム。
【手続補正２】
【補正対象書類名】明細書
【補正対象項目名】発明の名称
【補正方法】変更
【補正の内容】
【発明の名称】複数のインターフェースを有する電子機器とホスト装置を有するシステム、情報処理装置、電子機器、及び前記システムのセットアップ方法、前記電子機器の制御方法、及びセットアッププログラム、並びに制御プログラム
【手続補正３】
【補正対象書類名】明細書
【補正対象項目名】０００１
【補正方法】変更
【補正の内容】
【０００１】
本発明は、複数のインターフェースを有する電子機器とホスト装置を有するシステム、特に電子機器のセットアップ技術に関する。
【手続補正４】
【補正対象書類名】明細書
【補正対象項目名】００１１
【補正方法】変更
【補正の内容】
【００１１】
本発明は、容易に無線通信品質を考慮した機器設置を可能とする技術を提供することを目的とする。
【手続補正５】
【補正対象書類名】明細書
【補正対象項目名】００１２
【補正方法】変更
【補正の内容】
【００１２】
本発明は、機器設定が可能な第１のインターフェースと、前記機器と通信可能な第２のインターフェースを有する電子機器とホスト機器とを有するシステムにおいて、ホスト機器におけるデバイスドライバをインストールする際に、前記第１のインターフェースを使用して、前記第２のインターフェースを介した通信のための機器設定手順を実行する実行手段と、前記第１のインターフェースを使用した前記機器設定後に、前記第２のインターフェースを介した通信品質を測定する測定手段と、前記測定手段による前記測定結果に基づいて、少なくとも前記電子機器の設置場所に関する判定を行う判定手段と、を有することを特徴とするシステムを提供する。
【手続補正６】
【補正対象書類名】明細書
【補正対象項目名】００１３
【補正方法】変更
【補正の内容】
【００１３】
また、機器設定が可能な第１のインターフェースと、前記機器と通信可能な第２のインターフェースを有する情報処理装置において、電子機器のためのデバイスドライバをインストールする際に、前記第１のインターフェースを使用して、前記第２のインターフェースを介した通信のための機器設定手順を実行する実行手段と、前記第１のインターフェースを使用した前記機器設定後に、前記第２のインターフェースを介した通信品質を判別する判別手段と、前記判別手段による判別結果に基づいて、少なくとも前記電子機器の設置場所に関する判定を行う判定手段と、を有することを特徴とする情報処理装置を提供する。
【手続補正７】
【補正対象書類名】明細書
【補正対象項目名】００１４
【補正方法】変更
【補正の内容】
【００１４】
また、機器設定が可能な第１のインターフェースと、前記機器と通信可能な第２のインターフェースを有する電子機器において、情報処理装置における前記電子機器のためのデバイスドライバをインストールする際に、前記第１のインターフェースを使用して、前記情報処理装置が前記電子機器と前記第２のインターフェースを介して通信するための機器設定手順を実行する実行手段と、前記第１のインターフェースを使用した前記機器設定後に、前記第２のインターフェースを介した通信品質を測定する測定手段と、前記情報処理装置が前記電子機器の設定場所に関する判定を行えるように、前記測定結果を前記情報処理装置に通知する通知手段と、を有することを特徴とする電子機器を提供する。
【手続補正８】
【補正対象書類名】明細書
【補正対象項目名】００１５
【補正方法】変更
【補正の内容】
【００１５】
また、上記システムにおけるセットアップ方法及び上記電子機器の制御方法を提供する。
【手続補正９】
【補正対象書類名】明細書
【補正対象項目名】００１６
【補正方法】変更
【補正の内容】
【００１６】
また、上記電子機器のセットアッププログラム及び制御プログラムを提供する。
【手続補正１０】
【補正対象書類名】明細書
【補正対象項目名】００１７
【補正方法】変更
【補正の内容】
【００１７】
本発明によれば、ユーザーがデバイスのセットアップを行うタイミングで、通信品質を考慮した機器設置を行わせることができ、利便性が向上する。